(57)【要約】 【課題】  本発明は、ダイヤモンドの販売時の用いる鑑定書の情報に加えてさらにサブレポートにより各種情報の提示を行い、鑑定書を補完して、この鑑定書の有する信頼性をより高度かつ精度の高いものとすると共に購入者や使用者のダイヤモンドに対する価値をより高めるシステムの提供を課題とする。【解決手段】  鑑定すべきダイヤモンドの鑑定書に記載のない当該ダイヤモンドの原石に関する情報・原石と当該ダイヤモンドとの関係を示す情報をサブレポートに示すものであり、ダイヤモンドの原石に関する情報が、原石の重量を含む情報であり、原石と当該ダイヤモンドとの関係を示す情報が原石から当該ダイヤモンドをカットした日を含む情報であるダイヤモンドの鑑定書のサブレポートシステムにより解決できる。【選択図】    図２
2011131550.tif 000002
【特許請求の範囲】
【請求項１】
ダイヤモンドの鑑定書のサブレポートシステムであって、
鑑定すべきダイヤモンドの鑑定書に記載のない当該ダイヤモンドの原石に関する情報・原石と当該ダイヤモンドとの関係を示す情報をサブレポートに示すものであり、
ダイヤモンドの原石に関する情報が、原石の重量を含む情報であり、原石と当該ダイヤモンドとの関係を示す情報が原石から当該ダイヤモンドをカットした日を含む情報であることを特徴とするダイヤモンドの鑑定書のサブレポートシステム。
【請求項２】
ダイヤモンドの原石に関する情報として原石の写真・図・イメージのいずれかを文字情報と共に／或いは文字情報に代えて有することを特徴とする請求項１に記載のダイヤモンドの鑑定書のサブレポートシステム。
【請求項３】
ダイヤモンドの原石からのカット状態を示した原石の写真・図・イメージのいずれかを文字情報と共に／或いは文字情報に代えて有することを特徴とする請求項１又は２のいずれかに記載のダイヤモンドの鑑定書のサブレポートシステム。
【発明の詳細な説明】
【技術分野】
【０００１】
本発明は、ダイヤモンドの鑑定書のサブレポートシステムに関する発明であり、更には鑑定書に添付する有用なサブレポートを用いるサブレポートシステムに関する。
【背景技術】
【０００２】
ダイヤモンドに関しては、一般消費者の取引に供されるものであり、その品質や評価や価値判断等は専門的知識がないと的確に判別することが難しく、その便宜のために鑑定書が宝石の品質を正しく表示するものとなる。
従って取引に際しては鑑定書の内容は極めて重要な位置を占めるものである。
【０００３】
従来までの例えばダイヤモンドなどの鑑定書においては、カット形状・寸法・重量（カラット）・カラー・クオリティ・カット等の内容を示すものである。
更に、その宝石自体の原石からのカット状態を示す履歴証明書からなる実用新案登録第３１２１２６３号（特許文献１）も存在する。
この履歴証明書は原石の写真とカット形状の写真とダイヤモンド自体に識別用符号を刻印し、この識別用符号を明示した写真を添付するものである。
【先行技術文献】
【特許文献】
【０００４】
【特許文献１】実用新案登録第３１２１２６３号
【発明の概要】
【発明が解決しようとする課題】
【０００５】
以上の様に、ダイヤモンドの取引に際して鑑定書は極めて重要な位置を占めるが、購買者にとって極めて有用ではあるが、さらなる情報の入手が望まれるものである。
係る点を鑑み、履歴を証明する先行例も特許文献１として存在する。
この履歴は原石の状態とカットの状態を写真で正しく視認できる点で極めて有用である。
【０００６】
しかし、前記更なる情報は、この写真によるものばかりでなくより詳細な情報が要求されるものであり、この更なる情報がダイヤモンドの成立経路を明確にするものであり、ダイヤモンド自体の経路などばかりでなく原石に発掘から宝石成立までの具体的な経緯を明らかにすることでその価値を高めるばかりでなく鑑定内容により高度な信頼性を生むものとなる。
【０００７】
特に特許文献１においては宝石に刻印された識別用符号の写真が必須であるが、鑑定書においては一体として取り扱われるものであり、殊更このような写真を必要とするものではなく、更にはこの識別用符号の刻印も不要である。
従って、更なるダイヤモンドの情報の提供を行い鑑定書の有する信頼性をより高度なかつ精度の高いものとすると共に購入者や使用者のダイヤモンドに対する価値をより高められる何らかのシステムの提供が望まれるものである。
【課題を解決するための手段】
【０００８】
以上のように係る課題を見事に解決するため、請求項１に係る発明はダイヤモンドの鑑定書のサブレポートシステムであって、鑑定すべきダイヤモンドの鑑定書に記載のない当該ダイヤモンドの原石に関する情報・原石と当該ダイヤモンドとの関係を示す情報をサブレポートに示すものであり、ダイヤモンドの原石に関する情報が、原石の重量を含む情報であり、原石と当該ダイヤモンドとの関係を示す情報が原石から当該ダイヤモンドをカットした日を含む情報であるダイヤモンドの鑑定書のサブレポートシステムを用いるものであって、係る発明によって前記課題を解決できる。
【０００９】
或いは、請求項２に係る発明のようにダイヤモンドの原石に関する情報として原石の写真・図・イメージのいずれかを文字情報と共に／或いは文字情報に代えて有するダイヤモンドの鑑定書のサブレポートシステムを用いるものでもよい。
この場合、請求項３に係る発明のようにダイヤモンドの原石からのカット状態を示した原石の写真・図・イメージのいずれかを文字情報と共に／或いは文字情報に代えて有するものでもよい。
【発明の効果】
【００１０】
以上のように構成したことから、まず請求項１に係る発明によって一般的な鑑定書での鑑定内容に限定されず、当該ダイヤモンドの原石の素性や原石からそのダイヤモンドへの変遷内容等が明確となり、ダイヤモンドの資質やバックボーンが明確となって価値判断の材料として用いることができるものである。
従ってダイヤモンドの信頼性を高めることができ、より安全な取引を可能とするものである。
【００１１】
更にダイヤモンドを購入するものや使用するものにとって非常に価値のあるものであり、ダイヤモンドの資質やバックボーンが明確となり、より深くダイヤモンドを理解することを可能として、そのダイヤモンドの価値を高めることを可能とするものである。
特に請求項１に係る発明によってのダイヤモンドの原石に関する情報と原石と当該ダイヤモンドとの関係を示す情報が明確となるものであって、原石の重量やカット日が明確となるものであることからダイヤモンドの素性をより明確に理解できるものである。
【００１２】
次に請求項２及び３に係る発明によってカット前の原石状態やカット状況を理解できるものであり、いかなる原石から生まれたカットされたダイヤモンドが明確となる。
特に文字情報と共に或いはこれに代えて図・写真或いはイメージデータとして明示することにより、より認識しやすい視覚的な理解ができるものであって、価値のある情報として極めて有用に用いることができる
【図面の簡単な説明】
【００１３】
【図１】本発明に係るダイヤモンドの鑑定書の一例を示す図
【図２】本発明に係るダイヤモンドの鑑定書のサブレポートの一例を示す図
【発明を実施するための形態】
【００１４】
図１は、ダイヤモンドの鑑定書１の一例を示す図である。
本図に示す様に、ダイヤモンドの鑑定書１には一般的にカット形状・寸法・重量（カラット）・カラー・クオリティ・カット等の一般的事項のほかに次の事項の明示がなされているものである。
これはダイヤモンドの一般的に販売に際して、万人にダイヤモンドの状態や品質などを明確にして取引の安全を図るために用いられているものである。
尚、本鑑定書１は一例であり、他の事項を明示するものであってももちろんよい。
【００１５】
次に図２は、鑑定書１に添付するサブレポート２の一例を示す図である。
本図に示すサブレポート２には、その原石の産出地域２１、原石のタイプ２２、カットした日時（ダイヤモンドの誕生日）２３、原石の重量及び研磨上がりの重量２４、本ダイヤモンドの流通経路２５が明示されているものである。
このような情報は今まで認知できるものではなくそのまま埋もれてしまっていたものであるが、係る情報には価値あるダイヤモンドの情報となるものであり、高価なものであればあるほど或いは使用者にとって価値のあるものであればあるほど知りたいことであって、その素性を知りうる重要な情報となるものである。
【００１６】
従って特に高価な或いは価値のある宝石であればあるほど、原石及び宝石成立などの細かい説明によりその価値を高め或いは価値を再確認できるものである。
本図に示す内容は上記内容であるが、その他その原石の産出国、産出方法、産出日、産出時の重量（カラット）、カットした割合等の各種情報を明示するものであってもよい。
これにより原石自体の資質や経路等が明確となる。
即ち、鑑定書１について更にサブレポート２を添付するものであり、このサブレポート２に原石に関する情報と鑑定書に記載されたダイヤモンドとの両者の関係等を明確に記すサブレポートシステムをとることによって、ダイヤモンドの詳細な情報を提供するものであり、またその価値を何倍にも高めることのできるシステムを提供するものである。
【００１７】
従って、これらの事項は通常鑑定書に明示しないが、これを鑑定書１に添付するサブレポート２として用いることにより、極めて重要な情報として用いることのできるものである。
特にデータとして原石の情報と原石と当該ダイヤモンドとの文字情報の提供は極めて有用であり、従来このうちの単に一種程度は鑑定書に記載されていたり、或いは他の方法で伝達可能としているものも存在はしている可能性を有するが、少なくとも詳細な各種情報のうち多種類をまとめてサブレポートに明示するシステムを採用することにより極めて有用な情報となりうる。
【００１８】
以上よりまず少なくとも鑑定書に記載のない当該ダイヤモンドの原石に関する情報・原石と当該ダイヤモンドとの関係を示す情報をサブレポート２に示すものであることが必要である。
少なくともこの情報により原石の関係が明確になり、カットされたダイヤモンドとの関係が明確となるものであることから、原石との関係において最小限のかつ有用な情報が提供できるものである。
原石に関する情報としては、原石の重量や形などが該当し、更には産出日や産出地域等の情報が該当する。
【００１９】
原石と当該ダイヤモンドとの関係を示す情報に関しては、カットした日・カットした場所・カットした者・原石との関係におけるカット割合・原石からのカット状況・原石の重量とカットしたダイヤモンドとの重量の割合・カットしたダイヤモンドの研磨割合や重量などの情報が該当する。
これらが明確になることにより、ダイヤモンドの情報をより詳細にできるものであり、ダイヤモンドの信頼性を高めると共にその価値を高めることができる。
この場合、例えば最も必要な各１種の情報を用いるものでも、或いは複数種類乃至は多数種類提示するものでもよい。
【００２０】
これらの情報に関しては、その情報を文字として明示するものでも、イメージとして明示するものでも、或いは図や写真で示すものであってもよい。
次に本鑑定書のサブレポートシステムには更に、これらの情報のみだけではなく原石の状態を示す図２６、原石内でのダイヤモンドの状態を線図で示す図２７、一の原石から２つのダイヤモンドがカットされたカットダイヤモンドが示された写真２８、原石から取り出してカットした２個のダイヤモンドの写真２９が示されているものであり、このように原石のスキャニング図面及び該原石から当該宝石のカット状態を示した図や写真、イメージデータ等を併せ有するものであってもよい。
【００２１】
即ち文字情報とイメージ情報とを併せ有するサブレポートシステムを用いてもよい。
これによりそもそも入手した宝石はいかなる形状の原石のどのような部分から成立したものであるか否か及びいかなるカットをされたかが一見して把握できるものである。
更にこれらの図のほかに原石の写真や宝石自体の写真或いは図、イメージデータ等を有するものであってもよい。
本図においては、原石の写真と共にこのダイヤモンドのカット状態を線図で示しているものであり、さらに一の原石からカットした他のダイヤモンドのカット状態も示しているものである。
これにより本原石から取り出した本鑑定書に示すダイヤモンドの他いかなるダイヤモンドをカットしたかも把握できる。
【００２２】
これらの情報を前記原石に関する情報や原石と当該ダイヤモンドとの関係を示す情報、例えばその原石の産出地域、原石のタイプ、カットした日時（ダイヤモンドの誕生日）、カット場所、カット者、原石の重量及び研磨上がりの重量、本ダイヤモンドの流通経路、原石との関係におけるカット割合、原石からのカット状況、原石の重量とカットしたダイヤモンドとの重量の割合、カットしたダイヤモンドの研磨割合や重量等或いはこれらの他の各種情報を示すことによりその内容を明確に理解できるものとなり、特に文字として示すと書記的情報として認識でき、さらに図やイメージ・写真等のイメージデータとして用いることにより、より価値のある情報として視覚的にも認識でき、極めて有用な情報として用いることができる。
【００２３】
例えば地域に関しては地図の明示を行うものであっても、あるいは写真を用いて産出国や産出地域を明示するものであってももちろんよい。
以上のように、鑑定書において宝石のカット形状・寸法・重量（カラット）・カラー・クオリティ・カット等の一般的事項を示すものであり、本発明は更にダイヤモンドに関する使用者や購買者のダイヤモンドの信頼性を高め、その価値を高める情報としてこの鑑定書には記載のない各種情報をサブレポート２として添付するシステムである。
従って鑑定書を補完するものであるばかりでなく、今までにない極めて有用かつ重要な情報を的確にかつ最も有効的に提供できるものである。
【００２４】
例えば本図に示す様に、鑑定書のサブレポートとして原石の産出国或いは産出地域、産出方法、原石のタイプ、産出日、産出時の重量（カラット）、カットした日時（ダイヤモンドの誕生日）、カットした割合、原石の重量及び研磨上がりの重量、本宝石の流通経路等のいずれか一以上或いは複数或いは全部を明示するものであればよい。
或いは、更に必要に応じて原石及びカットに関する情報を明示するものであればよい。
例えば前記のようにダイヤモンドが原石からどのようにカットされたか等を示す図によりカット状態が明確となる。
【００２５】
更には原石の写真等を併せ有すればより詳細な該宝石の素性が明確となる。
【００２６】
特に鑑定書には通常明示しない重要なそのダイヤモンドに関する情報を明示するものであり、ダイヤモンド自体の写真等によりダイヤモンドの特定ができるものとなると共に鑑定書に添付するサブレポート形式であり識別番号の刻印などは不要である。
尚、サブレポート形式のほか鑑定書の記載事項として用いるものであってもよい。
【符号の説明】
【００２７】
１  鑑定書
２  サブレポート
２１  その原石の産出地域
２２  原石のタイプ
２３  カットした日時（ダイヤモンドの誕生日）
２４  原石の重量及び研磨上がりの重量
２５  本ダイヤモンドの流通経路
２６  原石の状態を示す図
２７  原石内でのダイヤモンドの状態を線図で示す図
２８  一の原石から２つのダイヤモンドがカットされたカットダイヤモンドが示された写真
２９  原石から取り出してカットした２個のダイヤモンドの写真
【図１】
2011131550.tif 000003
【図２】
2011131550.tif 000004